【手続補正書】
【提出日】平成16年6月22日(2004.6.22)
【手続補正１】
【補正対象書類名】明細書
【補正対象項目名】特許請求の範囲
【補正方法】変更
【補正の内容】
【特許請求の範囲】
【請求項１】  中間ＤＣ電圧をＡＣ電力出力に変換するインバータ手段と、前記中間ＤＣ電圧を発生して或るレベルに保持する手段と、前記中間ＤＣ電圧を監視する電圧センサ手段を備えた検出手段と、を備えるＡＣ電力発電装置であって、前記インバータ手段の制御手段を更に備え、前記制御手段は前記電圧センサ手段に応じて前記インバータ手段の動作を制御し、前記ＡＣ電力出力に階段的負荷を加えたときに前記中間ＤＣ電圧が或るレベルまで下降すると前記ＡＣ電力出力の電圧および周波数の少なくともひとつを減少させて過渡的な負荷減少効果を与えて前記発電装置に応答の時間的余裕を与えることにより、前記中間ＤＣ電圧を前記或るレベルまで回復させることを特徴とするＡＣ電力発電装置。
【請求項２】  前記ＡＣ電力出力の中性点設定を、前記中間ＤＣ電圧を制御して分割することにより、生成しまた調整する、請求項１に記載のＡＣ電力発電装置。
【請求項３】  前記中間ＤＣ電圧を発生しまた調整する前記手段は、可変電圧ＡＣ電源を生成する発電機手段と、出力端子を有しまた前記可変電圧ＡＣ電源を整流して前記中間ＤＣ電圧を確立する整流器手段とを備える、請求項１または２に記載のＡＣ電力発電装置。
【請求項４】  前記整流器手段は全波整流器手段である、請求項２に従属する請求項３に記載のＡＣ電力発電装置。
【請求項５】  前記中間ＤＣ電圧を生成する前記手段は、前記中間ＤＣ電圧を確立するブースタ手段を備える、請求項１から４のいずれかひとつに記載のＡＣ電力発電装置。
【請求項６】  前記発電機手段はそれぞれの制御手段を含み、前記電圧センサ手段は前記発電機手段の制御手段にフィードバック制御信号を送って前記可変電源を変動させることにより、前記中間ＤＣ電圧が変化する傾向を相殺する、請求項３に従属する請求項５に記載のＡＣ電力発電装置。
【請求項７】  前記発電機手段は可変速度原動機により駆動され、前記発電機手段の制御手段は前記原動機の速度を制御する速度制御手段を備える、請求項６に記載のＡＣ電力発電装置。
【請求項８】  前記中間ＤＣ電圧の両端に負荷を接続することにより生じるＤＣ負荷電流を監視すると共に前記監視中のＤＣ負荷電流を表す信号を出す電流センサ手段と、
前記電流センサ手段からの出力信号と基準信号とを比較して前記電流センサ手段からの信号が前記基準値を超えた量に比例する速度訂正信号を出す比較器手段と、を更に備え、
前記比較器手段からの出力を前記発電機手段の速度制御手段に送って、加えた負荷に対して必要となる速度以上で前記原動機の速度を増加させる、請求項７に記載のＡＣ電力発電装置。
【請求項９】  ブレーキ制御手段と、前記中間ＤＣ電圧を監視する前記電圧センサ手段の出力に応じる手段とを備えて、前記中間ＤＣ電圧が或るレベルまで上昇すると前記中間ＤＣ電圧の両端に前記ブレーキ制御手段を接続して負荷を加える、請求項６、または請求項６に従属する請求項７または８に記載のＡＣ電力発電装置。
【請求項１０】  可変電圧電源を生成する発電機手段と、該発電機手段の出力に接続する入力を有すると共に前記発電機手段の出力の電圧を増加させてＤＣ電圧を与えるブースタ手段と、前記発電機手段に結合してこれを駆動する可変速度原動機と、該原動機の速度を制御する速度制御手段とを備え、
前記ＤＣ電圧の両端に負荷を接続したときに生じる電流を監視し、前記監視中の電流を表す信号を出す電流センサ手段と、
該電流センサ手段からの出力信号と基準信号とを比較して前記電流センサ手段からの出力信号が前記基準信号を超えた量に比例する速度訂正信号を出す比較器手段と、を更に備え、
前記比較器手段からの出力を前記発電機手段の速度制御手段に送って前記可変速度原動機の速度を増加させ、前記電流センサ手段は前記発電機手段から遠い前記ブースタ手段側のＤＣ負荷電流を監視する手段であることを特徴とする電力発電装置。
【請求項１１】  可変電圧ＡＣ電源を生成する発電機手段と、前記発電機手段の出力に接続する入力を有して前記発電機手段の出力の電圧を増加させて前記ＤＣ電圧を与えるブースタ手段と、前記ＤＣ電圧を監視して前記発電機手段にフィードバック制御信号を与えることにより前記可変電圧ＡＣ電源を変化させて前記ＤＣ電圧が変化する傾向を相殺する電圧センサおよび制御手段と、前記ＤＣ電圧の両端に接続して前記ＤＣ電圧で充電するようにした電気エネルギー貯蔵手段とを備える電力発電装置であって、双安定切替え手段と該双安定切替え手段に関連する制御手段とを更に備え、前記双安定切替え手段は通常は一方の状態にあって前記電気エネルギー貯蔵手段を前記ＤＣ電圧の両端に接続して前記電気エネルギー貯蔵手段を充電することを可能にし、また前記電気エネルギー貯蔵手段と、前記発電機手段と前記ブースタ手段の入力の間の接続部との間の接続を遮断し、前記双安定切替え手段が他方の状態にあるときは前記電気エネルギー貯蔵手段を前記ＤＣ電圧から絶縁し、また前記電気エネルギー貯蔵手段と、前記発電機手段と前記ブースタ手段の入力の間の接続部との間の前記接続を行うことにより電気エネルギーを前記電気エネルギー貯蔵手段から前記発電機手段と前記ブースタ手段の間の接続部に放電することを可能にし、前記双安定切替え手段に関連する前記制御手段は前記監視中の前記ＤＣ電圧に応じまた前記ＤＣ電圧が或る基準レベルまで下降するとこれに応じて、前記双安定切替え手段をその通常の前記一方の状態から前記他方の状態に切り替えて電気エネルギーを放電して前記可変電圧電源を増加させることにより、前記ＤＣ電圧の前記検出された下降を相殺することを特徴とする電力発電装置。
【請求項１２】  請求項１０または請求項１１に記載の電力発電装置であって、前記発電機手段は可変電圧ＡＣ電源を発生させ、整流器手段を更に備え、該整流器手段は出力端子を有すると共に前記可変電圧電源を整流し、前記ブースター手段は前記整流手段の前記出力端子に接続されると共に前記整流器手段の前記整流された出力の前記電圧を増加させる、前記電力発電装置。
【請求項１３】  請求項１０、請求項１１または請求項１２に記載の電力発電装置であって、前記電力発電装置は前記ＤＣ電圧が中間ＤＣ電圧であるＡＣ電力発電装置であり、前記中間ＤＣ電圧を外部負荷に対して供給するＡＣ電力出力に変換するインバータ手段を更に備える前記電力発電装置。
【請求項１４】  可変電圧電源発電機手段と、前記可変電圧電源をＤＣ電圧に変換してＤＣリンクを確立する変換器手段と、前記ＤＣ電圧を監視する電圧センサ手段と、前記電圧センサ手段からの出力に応じて前記ＤＣ電圧を或るレベルに保持する制御手段とを備える電力発電装置であって、前記発電機手段は２つの可変電圧電源を生成し、それぞれの一端が共通端子に接続され他端が出力電圧端子であって、一方の電源の出力電圧端子は正であり他方の電源の出力電圧端子は負であって、前記２つの可変電圧電源全体で前記ＤＣ電圧を形成し、前記電圧センサ手段はそれぞれの電源にそれぞれ応じる２個の電圧センサを備え、前記制御手段はこれらの各電源の電圧を或るレベルに保持することにより前記ＤＣ電圧を前記或るレベルに保持する２個のコントローラをそれぞれ備えることを特徴とする電力発電装置。
【請求項１５】  ２個のブースタ回路を備え、該各ブースタ回路は前記２つの電源の各出力電圧端子と共通端子の間に接続され、前記各ブースタ回路はそれぞれの出力ポテンシャルの電圧を増加させて前記ＤＣ電圧を増加させ、前記各コントローラは前記各ブースタ回路に関連する、請求項１４記載の電力発電装置。
【請求項１６】  可変電圧ＡＣ電源発電機手段と、出力端子を有すると共に前記可変電圧ＡＣ電源を整流して中間ＤＣ電圧を確立する整流器手段と、前記中間ＤＣ電圧をＡＣ電力出力に変換するインバータ手段と、前記中間ＤＣ電圧を監視する電圧センサ手段と、前記電圧センサ手段からの出力に応じて前記中間ＤＣ電圧を或るレベルに保持する制御手段とを備えるＡＣ電力発電装置であって、前記発電機手段は２つの可変電圧ＡＣ電源を生成し、前記整流器手段は２個の全波整流器を有し、各全波整流器は２つの可変電圧ＡＣ電源をそれぞれ整流し、それぞれの一端は中性端子に接続され他端は出力電圧端子を有し、一方の全波整流器の出力電圧端子は正であり他方の全波整流器の出力電圧端子は負であって、前記２つの可変電圧ＡＣ電源をそれぞれ整流して正と負のポテンシャルをそれぞれ生成して全体で前記中間ＤＣ電圧を形成し、前記電圧センサ手段は前記２個の全波整流器の正と負の出力ポテンシャルのそれぞれに応じる２個の電圧センサを備え、前記制御手段は前記正と負の各ポテンシャルを或るレベルに保持することにより前記中間ＤＣ電圧を前記或るレベルに保持する２個のコントローラを備えることを特徴とするＡＣ電力発電装置。
【請求項１７】  前記発電機手段は、原動機の速度を制御する速度制御手段を備える可変速度原動機で駆動される永久磁石発電機である、請求項１４、請求項１５または１６記載のＡＣ電力発電装置。
【請求項１８】  前記発電機手段は可変速度原動機の速度を制御する速度制御手段を備えた前記可変速度原動機によって駆動され、
前記中間ＤＣ電圧の両端に負荷を接続したときに生じるＤＣ負荷電流を監視すると共に前記監視中のＤＣ負荷電流を表す信号を出す電流センサ手段と、
前記電流センサ手段からの出力信号と基準信号とを比較して前記電流センサ手段からの信号が前記基準信号を超えた量に比例する速度訂正信号を出す比較器手段と、を更に備え、
この速度訂正信号を前記発電機の速度制御手段にフィードバック制御信号として送って前記可変ＡＣ電源を変化させることにより、前記中間電圧が変動する傾向を相殺する、請求項１６または請求項１６に従属した請求項１７に記載のＡＣ電力発電装置。
【請求項１９】  ブレーキ制御手段と、前記正と負の出力ポテンシャルを監視する前記２個の電圧センサの出力に応じる手段とを備え、前記監視中の正と負のポテンシャル間のポテンシャル差が或るレベルまで上昇すると前記中間ＤＣ電圧の両端に前記ブレーキ制御手段を接続して負荷を加える、請求項１６、請求項１６に従属する請求項１７、または請求項１８のいずれか１項に記載のＡＣ電力発電装置。
【請求項２０】  １対のコンデンサを前記正出力ポテンシャルと中性端子の間に並列に接続し、別の１対のコンデンサを前記負出力ポテンシャルと中性端子の間に並列に接続し、各対のコンデンサの間の前記正と負の出力ポテンシャルの両端に前記ブレーキ制御手段を接続する、請求項１９に記載のＡＣ電力発電装置。
【請求項２１】  前記中間ＤＣ電圧の両端に負荷を接続したときに生じるＤＣ負荷電流を監視する電流センサ手段を、前記ブレーキ制御手段と前記２個の全波整流器から遠くて前記インバータ手段に近いコンデンサの各対との間の、正および負の接続部のひとつに接続する、請求項１８に従属する請求項２０に記載のＡＣ電力発電装置。
【請求項２２】  正と負のレベルの電気ポテンシャルを有するＤＣ電圧を、前記正と負のレベルの電気ポテンシャルをＡＣ電力出力端子に交互に接続することによりＡＣ電力出力に変換する方法であって、前記正と負のレベルの電気ポテンシャルの一方を前記出力端子に接続してから次に前記正と負のレベルの電気ポテンシャルの他方を前記出力端子に接続するまでの間をゼロ電圧の仲介期間で時間的に分離することを特徴とする、ＤＣ電圧をＡＣ電力出力に変換する方法。
【請求項２３】  ＤＣ電圧の前記各正と負の各ポテンシャル源はそれぞれの充電コンデンサであり、前記正と負のレベルの電気ポテンシャルは出力フィルタを通して前記ＡＣ電力出力端子に交互に接続され、前記出力フィルタの両端が前記仲介期間中は中性点に接続される、請求項２２に記載のＤＣ電圧をＡＣ電力出力に変換する方法。
【請求項２４】  正のＤＣポテンシャルで充電する第１の電気エネルギー源と、負のＤＣポテンシャルで充電する第２の電気エネルギー源と、一方の状態で前記第１の電気エネルギー源とＡＣ電力出力端子とを出力フィルタ手段のインダクタ手段を通して接続しまた他方の状態でこの接続を遮断する第１の双安定切替え手段と、一方の状態で前記第２の電気エネルギー源とＡＣ電力出力端子を前記インダクタ手段を通して接続しまた他方の状態でこの接続を遮断する第２の双安定切替え手段とを含むＤＣ／ＡＣ変換器であって、一方の状態で前記インダクタ手段と中性点とを接続しまた他方の状態でこの接続を遮断する第３の双安定切替え手段と、前記第１、第２、第３の双安定切替え手段の動作を制御する制御手段とを更に含み、前記第１および第２の双安定切替え手段は前記一方の状態に交互に切り替わり、他方の前記第１および第２の双安定切替え手段がその前記一方の状態にあって前記第３の双安定切替え手段がその前記第１の状態に切り替わったときは前記第１および第２の双安定切替え手段は前記他方の状態にあり、また前記第１および第２の双安定切替え手段は共にその前記他方の状態に切り替わり、前記第１および第２の双安定切替え手段が交互に切り替わる間は前記第１および第２の双安定切替え手段は前記一方の状態にあり、前記変換器が動作するときに前記第１および第２の電気エネルギー源を充電する前記正と負のレベルの電気ポテンシャルは前記ＡＣ電力出力端子に交互に接続し、前記正と負のレベルの電気ポテンシャルの一方を前記出力端子に接続してから次に前記正と負のレベルの電気ポテンシャルの他方を前記出力端子に接続するまでの間をゼロ電圧の仲介期間で時間的に分離することを特徴とする、ＤＣ／ＡＣ変換器。
【請求項２５】  前記出力フィルタ手段は第３の充電可能な電気エネルギー源を含み、その一端は前記インダクタ手段に接続し、その他端は中性点に接続し、前記第３の切替え手段はその前記一方の状態のとき前記インダクタ手段の他端を中性点に接続する、請求項２４に記載のＤＣ／ＡＣ変換器。
【請求項２６】  前記ＤＣ／ＡＣ変換器は、中間ＤＣ電圧を確立する可変電圧電源発生手段を含むＡＣ電力発電装置のインバータ手段であって、該インバータ手段は、前記中間ＤＣ電圧を前記ＡＣ電力出力に変換を行うと共に、更に、前記中間ＤＣ電圧を監視する電圧センサ手段と、前記電圧センサ手段の出力に応じて前記中間ＤＣ電圧を或るレベルに保持する制御手段とを含む、請求項２４または２５に記載のＤＣ／ＡＣ変換器。
【請求項２７】  前記発電機手段は２つの可変電圧ＡＣ電源を生成し、また２個の全波整流器を更に備え、該各整流器は前記２つの可変電圧ＡＣ電源をそれぞれ整流し、またそれぞれの一端は中性端子に接続され、それぞれの他端に出力端子を有し、一方の全波整流器の出力端子は正であり他方の全波整流器の出力端子は負であって、前記２つの可変電圧ＡＣ電源を整流して正と負のポテンシャルをそれぞれ生成して全体で中間ＤＣ電圧を形成し、また前記２つの可変電圧ＡＣ電源を第１および第２の電気エネルギー貯蔵手段の両端にそれぞれ接続し、前記２個の全波整流器の正と負の出力ポテンシャルのそれぞれに応じる電圧センサ手段と、これらの正と負のポテンシャルをそれぞれ或るレベルに保持して前記中間ＤＣ電圧を或るレベルに保持する２つの制御器とを更に含む、請求項２６に記載のＤＣ／ＡＣ変換器。
【請求項２８】  ２つのブースタ回路を更に備え、該各ブースタ回路は前記２個の全波整流器の各出力端子と中性端子の間に接続され、また前記各ブースタ回路はそれぞれの出力電気ポテンシャルを増加させ、各制御手段は前記各ブースタ回路と関連する、請求項２７に記載のＤＣ／ＡＣ変換器。
【請求項２９】  電力発電装置を運転する方法であって、該電力発電装置は、可変電圧電気出力を生成するエンジン駆動発電機と、前記可変電圧電気出力の電圧を増加させて中間ＤＣ電圧を生成するブースタ手段と、前記中間ＤＣ電圧をＡＣ電力出力に変換するインバータ手段とを含み、前記方法は前記エンジン駆動発電機の最大速度よりは低い所定の速度に達するまで前記中間ＤＣ電圧を或るレベルに保持する手段を特徴とし、前記エンジン駆動発電機の速度が少なくとも前記所定の速度まで上昇しており更に前記エンジン駆動発電機の速度と前記中間ＤＣ電圧とが上昇しているときは前記中間ＤＣ電圧を前記或るレベルに保持する手段を使用禁止にし、前記エンジン駆動発電機が最大速度で運転しているときは平衡が得られるまで前記電力出力を増加させる、電力発電装置を運転する方法。
【請求項３０】  ＡＣ電力発電装置を運転する方法であって、
（ｉ）  可変速度原動機駆動の発電機を運転して可変電圧ＡＣ電源を生成し、
（ｉｉ）  前記可変電圧ＡＣ電源を整流して中間ＤＣ電圧を確立し、
（ｉｉｉ）前記中間ＤＣ電圧を制御して実質的に一定レベルに保持し、
（ｉｖ）  インバータを作動させて前記中間ＤＣ電圧をＡＣ電力出力に変換し、
（ｖ）  前記中間ＤＣ電圧を監視し、
（ｖｉ）  前記監視中の中間ＤＣ電圧が第１の基準電圧のレベルまで下がるとき、前記原動機駆動発電機の運転をフィードバック制御により制御して、その速度を増加させることにより、前記中間ＤＣ電圧を前記実質的に一定レベルまで回復させ、
（ｖｉｉ）  前記中間ＤＣ電圧と前記実質的に一定レベルより低い第１の基準電圧とを比較し、
（ｖｉｉｉ）また前記中間ＤＣ電圧と前記第１の基準電圧より低い第２の基準電圧とを比較し、
（ｉｘ）  前記監視中の中間ＤＣ電圧が前記第２の基準電圧のレベルまで下降するとき、前記インバータを操作して、ＡＣ電力出力の電圧および／または周波数を減少させることにより、過渡的な負荷減少効果を与えて前記中間ＤＣ電圧が前記実質的に一定レベルに回復するのを援助する、
各ステップを含むＡＣ電力発電装置を運転する方法。
【請求項３１】  ＡＣ電力発電装置を運転する方法であって、
ａ）  前記中間ＤＣ電圧の両端に負荷を接続したときに生じるＤＣ負荷電流を監視し、
ｂ）  前記監視中のＤＣ負荷電流と或る電流基準レベルとを比較し、
ｃ）  前記監視中のＤＣ負荷電流が前記或る電流基準レベルを超えることにより前記監視中のＤＣ負荷電流が前記或る電流レベルを超えた量に比例する量だけ前記原動機駆動発電機の速度が更に増加するとき、前記原動機駆動発電機の動作をフィードバック制御により更に制御する、
各ステップを含む、請求項３０記載のＡＣ電力発電装置を運転する方法。
【請求項３２】  前記監視中のＤＣ電圧が第３の基準電圧のレベルまで上昇するとインバータの動作を更に制御してＡＣ電源の周波数を増加させるステップを更に含む、請求項３０または３１記載のＡＣ電力発電装置を運転する方法。
【請求項３３】  前記監視中のＤＣ電圧が或る電圧レベルまで上昇すると前記中間ＤＣ電圧の両端にブレーキ・コントローラを接続してこれに負荷をかけるステップを更に含む、請求項３０から３２のどれか記載のＡＣ電力発電装置を運転する方法。
【請求項３４】  前記監視中のＤＣ電圧が前記第３の基準電圧のレベルまで上昇するとインバータの動作を更に制御してＡＣ電源の周波数を増加させるステップを更に含み、前記第３の基準電圧は前記或る電圧レベルより高い、請求項３３記載のＡＣ電力発電装置を運転する方法。
【請求項３５】  可変電圧発電機出力を生成する発電機手段と、前記発電機手段に結合して駆動する可変速度原動機と、前記原動機の速度を制御する速度制御手段と、前記可変電圧発電機出力をＤＣ電圧に変換してＤＣリンクを確立しそのＤＣ電圧から電力出力を取得して外部負荷に供給する変換機手段と、負荷を前記ＤＣ電圧の両端に接続したときに前記ＤＣリンクを監視すると共に、前記速度制御手段にフィードバックを与えて前記可変電圧電気出力を変化させることにより前記ＤＣ電圧が変化する傾向を相殺してＤＣ電圧を或るレベルに保持する検出手段とを備える電力発電装置であって、前記変換器手段の制御手段を更に備え、前記制御手段は前記検出手段に応じて前記変換器手段の動作を制御し、前記電力出力に階段的負荷を加えたときに前記ＤＣ電圧が或るレベルまで下降して前記電力出力の電圧を減少させることにより、前記発電装置に応答の時間的余裕を与えて前記ＤＣ電圧を前記或るレベルまで回復させる過渡的な負荷減少効果が与えられることを特徴とする電力発電装置。
【請求項３６】  前記電力発電装置は前記ＤＣ電圧をＡＣ電力出力に変換するインバータ手段を含み、前記検出手段はＤＣ電圧を監視する電圧センサを含み、前記電圧センサ手段に応じて前記インバータ手段の動作を制御する前記制御手段が前記過渡的な負荷減少効果を与えることにより、前記ＡＣ電力出力の電圧および周波数の少なくともひとつはＤＣ電圧の前記下降に応じて減少する、請求項３５記載の電力発電装置。
【請求項３７】  前記検出手段は前記ＤＣ電圧の両端に負荷を接続することにより生じるＤＣ負荷電流を監視する電流センサ手段を含み、前記電流センサ手段は前記監視中のＤＣ負荷電流を表す信号を出し、前記電流センサ手段からの出力信号と基準信号とを比較して前記電流センサ手段からの出力信号が前記基準値を超えた量に比例する速度訂正信号を出す比較器手段を更に備え、該比較器手段からの出力を前記発電機手段の速度制御手段に送って、加えた負荷に対して必要となる速度以上で前記原動機の速度を増加させる、請求項３５または３６記載の電力発電装置。
【請求項３８】  ブレーキ制御手段と、前記ＤＣ電圧を監視する前記電圧センサ手段の出力に応じる手段とを更に備えて、前記ＤＣ電圧が或るレベルまで上昇すると前記ＤＣ電圧の両端に前記ブレーキ制御手段を接続して負荷を加える、請求項３６または請求項３６に従属する３７記載の電力発電装置。
【請求項３９】  前記インバータ手段の前記制御手段は、前記ＤＣ電圧が或る高レベルまで増加すると前記ＡＣ電力出力の周波数を増加させる、請求項１から９、請求項３６、請求項３６に従属する請求項３７、または請求項３８のいずれかひとつに記載の電力発電装置。
【請求項４０】  前記或る高レベルは、前記ブレーキ制御手段を前記中間ＤＣ電圧の両端に接続するレベルより高い、請求項３６、請求項３６に従属する請求項３７、請求項３８、請求項３９のいずれかひとつに記載の電力発電装置。
【請求項４１】  前記可変電圧発電機出力はＡＣ電源であって、
前記電力装置は、更に、前記可変電圧ＡＣ電源を整流する出力を有する整流器手段と、前記整流器手段の出力に接続する入力を有すると共に前記整流器手段の整流された出力の電圧を増加させて前記ＤＣ電圧を確立するブースタ手段と、前記ＤＣ電圧に接続して前記ＤＣ電圧で充電する電気エネルギー貯蔵手段とを含み、
更に、双安定切替え手段と関連する制御手段とを備え、
前記双安定切替え手段は通常は一方の状態にあって前記電気エネルギー貯蔵手段を前記ＤＣ電圧の両端に接続して前記電気エネルギー貯蔵手段を充電することを可能にし、また前記電気エネルギー貯蔵手段と、前記整流器手段の出力と前記ブースタ手段の入力との間の接続部との間の接続を遮断し、
前記双安定切替え手段が他方の状態にあるときは前記電気エネルギー貯蔵手段を前記ＤＣ電圧から絶縁し、また前記電気エネルギー貯蔵手段と、前記整流器手段の出力と前記ブースタ手段の入力との間の接続部との間の接続を行うことにより電気エネルギーを前記電気エネルギー貯蔵手段から前記整流器手段と前記ブースタ手段との間の接続部に放電することを可能にし、
前記双安定切替え手段に関連する前記制御手段は前記監視中のＤＣ電圧に応じまた前記ＤＣ電圧が或る基準レベルまで降下するとこれに応じて、前記双安定切替え手段をその通常の前記一方の状態から前記他方の状態に切り替えて電気エネルギーを放電して前記整流器手段の整流された出力を増加させることにより、前記ＤＣ電圧の前記検出された下降を相殺する、請求項３６、または請求項３６に従属する請求項３７、または請求項３８から４０のいずれかひとつに記載の電力発電装置。
【請求項４２】  前記整流器手段の出力に接続する入力を有すると共に前記整流器手段の整流された出力の電圧を増加させることにより前記中間ＤＣ電圧を確立するブースタ手段と、前記中間ＤＣ電圧の両端に接続して前記中間ＤＣ電圧で充電するようにした電気エネルギー貯蔵手段とを備える電力発電装置であって、双安定切替え手段と関連する制御手段とを更に備え、前記双安定切替え手段は通常は一方の状態にあって前記電気エネルギー貯蔵手段を前記中間ＤＣ電圧の両端に接続して前記電気エネルギー貯蔵手段を充電することを可能にし、また前記電気エネルギー貯蔵手段と、前記整流器手段の出力と前記ブースタ手段の入力との間の接続部との間の接続を遮断し、前記双安定切替え手段が他方の状態にあるときは前記電気エネルギー貯蔵手段を前記中間ＤＣ電圧から絶縁し、前記電気エネルギー貯蔵手段と、前記整流器手段の出力と前記ブースタ手段の入力との間の接続部との間の前記接続を行うことにより電気エネルギーを前記電気エネルギー貯蔵手段から前記整流器手段と前記ブースタ手段との間の接続部に放電することを可能にし、前記双安定切替え手段に関連する前記制御手段は前記監視中の前記中間ＤＣ電圧に応じまた前記中間ＤＣ電圧が或る基準レベルまで降下すると前記双安定切替え手段をその通常の前記一方の状態から前記他方の状態に切り替えて電気エネルギーを放電して前記整流器手段の前記整流された出力を増加させることにより、前記中間ＤＣ電圧の前記検出された降下を相殺する、請求項３に従属する請求項５、請求項６から９、請求項３および５に従属する請求項３９または４０、のいずれかひとつに従属するＡＣ電力発電装置。